(57)【特許請求の範囲】
【請求項１】
ヒンジを介して扉枠に揺動可能な組み付けられた第１扉及び第２扉を備える扉装置において、
前記第１扉の戸先側に設けられ、前記第２扉との召合わせ箇所に沿って延びる帯状の召合わせ部であって、前記第１扉及び前記第２扉が閉じた状態にあるときに、前記第２扉の戸先側を前記扉枠側から覆う召合わせ部と、
前記第２扉のうち前記閉じた状態にあるときに前記召合わせ部と対向する被召合わせ部に設けられた第１パッキン部であって、前記閉じた状態にあるときに前記召合わせ部と液密に圧接する第１パッキン部と、
前記第２扉に設けられ、前記閉じた状態にあるときに前記扉枠と液密に圧接する第２パッキン部であって、前記第１パッキン部の延び方向両端から当該第１パッキン部から離間する向き（以下、離間方向という。）に延びる第２パッキン部と、
前記第１扉に設けられ、前記離間方向と反対向きに延びる第３パッキン部であって、前記閉じた状態にあるときに前記扉枠と液密に圧接する第３パッキン部とを備え、
前記離間方向は、前記第１扉及び前記第２扉が閉じた状態にあるときに、前記第１扉側から前記第２扉側に向かう向きであり、
前記第１パッキン部及び前記第２パッキン部は、継ぎ目の無い一体のパッキン材にて構成され、
前記被召合わせ部は、前記第２扉の板面に対して液圧が作用する側にずれており、
前記第２パッキン部のうち前記被召合わせ部に位置する部位は、前記第２扉の板面に対して傾斜した傾斜部が設けられており、
前記第３パッキン部の延び方向端部のうち前記召合わせ部側の端部には、前記傾斜部に沿うように傾斜した傾斜端面が設けられており、
さらに、前記閉じた状態にあるときには、前記第２パッキン部の傾斜部と前記第３パッキン部の傾斜端面とが圧接することを特徴とする扉装置。
【請求項２】
開口部の外縁部に設けられた扉枠に対して変位可能な第１扉と、
前記第１扉に対して変位可能に当該第１扉に組み付けられた第２扉であって、前記第１扉と協働して前記開口部を液密に閉塞する第２扉と、
前記第１扉に設けられた召合わせ部であって、前記第１扉及び前記第２扉が閉じた状態にあるときに、前記第２扉の一部を前記扉枠側から覆うように重なる召合わせ部と、
前記第２扉のうち前記閉じた状態にあるときに前記召合わせ部と対向する被召合わせ部に設けられた第１パッキン部であって、前記閉じた状態にあるときに前記召合わせ部と液密に圧接する第１パッキン部と、
前記第２扉に設けられ、前記閉じた状態にあるときに前記扉枠と液密に圧接する第２パッキン部であって、前記第１パッキン部の延び方向両端から当該第１パッキン部から離間する向き（以下、離間方向という。）に延びる第２パッキン部と、
前記第１扉に設けられ、前記離間方向と反対向きに延びる第３パッキン部であって、前記閉じた状態にあるときに前記扉枠と液密に圧接する第３パッキン部とを備え、
前記離間方向は、前記第１扉及び前記第２扉が閉じた状態にあるときに、前記第１扉側から前記第２扉側に向かう向きであり、
前記第１パッキン部及び前記第２パッキン部は、継ぎ目の無い一体のパッキン材にて構成され、
前記被召合わせ部は、前記第２扉の板面に対して液圧が作用する側にずれており、
前記第２パッキン部のうち前記被召合わせ部に位置する部位は、前記第２扉の板面に対して傾斜した傾斜部が設けられており、
前記第３パッキン部の延び方向端部のうち前記召合わせ部側の端部には、前記傾斜部に沿うように傾斜した傾斜端面が設けられており、
さらに、前記閉じた状態にあるときには、前記第２パッキン部の傾斜部と前記第３パッキン部の傾斜端面とが圧接することを特徴とする扉装置。
【請求項３】
前記召合わせ部には、前記傾斜端面と連なるように傾斜するとともに、前記閉じた状態にあるときに前記傾斜部と圧接するテーパ部が設けられていることを特徴とする請求項１又は２に記載の扉装置。
【請求項４】
前記被召合わせ部と前記傾斜部との間には、前記第２パッキン部が折れ曲がるように変形することを抑制する支圧材であって、前記傾斜部と平行な傾斜面を有する支圧材が設けられていることを特徴とする請求項１ないし３のいずれか１項に記載の扉装置。
【請求項５】
前記第２扉の板面に対する前記傾斜部の傾斜角度は、３０±５度であることを特徴とする請求項１ないし４のいずれか１項に記載の扉装置。
【発明の詳細な説明】
【技術分野】
【０００１】
本発明は、第１扉及び第２扉を備える扉装置に関する。
【背景技術】
【０００２】
例えば、特許文献１に記載の扉装置では、召合わせ部材の上下端を薄板状とするとともに、戸先に設けたパッキン及び扉枠に設けたパッキンで、薄板状の召合わせ部材を挟む込むことにより、召合わせ部の密閉性を高めている。
【先行技術文献】
【特許文献】
【０００３】
【特許文献１】特開２０１１−６４３３２号公報
【発明の概要】
【発明が解決しようとする課題】
【０００４】
本発明は、上記点に鑑み、特許文献１に記載の発明と異なる構成にて召合わせ部の密閉性を高めることが可能な扉装置を提供することを目的とする。
【課題を解決するための手段】
【０００５】
本発明は、上記目的を達成するために、ヒンジ（３）を介して扉枠（５）に揺動可能な組み付けられた第１扉（７）及び第２扉（９）を備える扉装置において、第１扉（７）の戸先側に設けられ、第２扉（９）との召合わせ箇所に沿って延びる帯状の召合わせ部（１１）であって、第１扉（７）及び第２扉（９）が閉じた状態にあるときに、第２扉（９）の戸先側を扉枠（５）側から覆う召合わせ部（１１）と、第２扉（９）のうち閉じた状態にあるときに召合わせ部（１１）と対向する被召合わせ部（１３）に設けられた第１パッキン部（１５Ａ）であって、閉じた状態にあるときに召合わせ部（１１）と液密に圧接する第１パッキン部（１５Ａ）と、第２扉（９）に設けられ、閉じた状態にあるときに扉枠（５）と液密に圧接する第２パッキン部（１５Ｂ）であって、第１パッキン部（１５Ａ）の延び方向両端から離間方向に延びる第２パッキン部（１５Ｂ）とを備え、第１パッキン部（１５Ａ）及び第２パッキン部（１５Ｂ）は、継ぎ目の無い一体のパッキン材にて構成されていることを特徴とする。
【０００６】
なお、離間方向とは、第１扉（７）及び第２扉（９）が閉じた状態にあるときに、第１扉（７）側から第２扉（２）側に向かう向きである。
これにより、本発明では、召合わせ部の密閉性を高めることが可能な扉装置を得ることができる。
【０００７】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の実施形態に係る扉装置の室内側正面図である。
【図２】図１のＡ−Ａ断面であって、本発明の実施形態に係る扉装置の閉じた状態を示す説明図である。
【図３】図１のＡ−Ａ断面であって、本発明の実施形態に係る扉装置の開いた状態を示す説明図である。
【図４】（ａ）は扉装置の開いた状態を示す召合わせ箇所の拡大図である。（ｂ）は扉装置の開いた状態を示す召合わせ箇所の拡大図である。
【図５】（ａ）は第２扉９正面図である。（ｂ）は第１扉７の正面図である。
【図６】開いた状態を示す鉛直断面図である。
【図７】閉じた状態を示す鉛直断面図である。
【図８】閉じた状態を示す室外から鉛直断面図である。
【図９】各パッキンの配置を示す図である。
【図１０】開いた状態を示す斜視図である。
【図１１】閉じた状態を示す斜視図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
本実施形態は、地下鉄等の地下施設用の防水扉に本発明に係る扉装置を適用したものである。各図に付された方向を示す矢印等は、各図相互の関係を理解し易くするために記載したものである。本発明は、各図に付された方向に限定されるものではない。
【００１１】
少なくとも符号を付して説明した部材又は部位は、「複数」や「２つ以上」等の断りをした場合を除き、少なくとも１つ設けられている。以下、本発明の実施形態を図面と共に説明する。
【００１２】
（第１実施形態）
本実施形態は両開き方式の扉装置である。図１は本実施形態に係る扉装置１の室内側を示している。室内側とは、図２に示すように、扉装置１が閉じられた場合において水圧が作用しない側をいう。室外側とは、扉装置１が閉じられた場合において水圧が作用する側をいう。つまり、防水扉に適用された扉装置１は、室外側から室内側に水が侵入することを抑止する。
【００１３】
扉装置１は、開口部１Ａを開閉するための第１扉７及び第２扉９を備える。第１扉７及び第２扉９それぞれは、図２及び図３に示すように、ヒンジ３を介して扉枠５に揺動可能に組み付けられている。なお、図２は開口部１Ａが閉じられた状態を示している。図３は開口部１Ａが開かれた状態を示している。
【００１４】
扉枠５は、図１に示すように、開口部１Ａを構成する矩形枠状に構成された枠体である。ヒンジ３は、第１扉７及び第２扉９それぞれに少なくとも２つ設けられている。それらヒンジ３は、扉枠５のうち鉛直方向に延びる枠部５Ａに組み付けられている。なお、本実施形態に係る各ヒンジ３は、図２に示すように、２本の揺動軸３Ａを有するダブルヒンジ機構にて構成されている。
【００１５】
２．防水構造
図４（ａ）に示すように、第１扉７の戸先側には召合わせ部１１が設けられている。召合わせ部１１は、第２扉９との召合わせ箇所に沿って延びる帯状の部位（図５（ｂ）参照）である。具体的には、召合わせ部１１は、第１扉７及び第２扉９が閉じた状態にあるときに、図４（ｂ）に示すように、第２扉９の戸先側を扉枠５側から覆う部位である。
【００１６】
なお、第１扉７の戸先側とは、第１扉７のうちヒンジ３と反対側、つまり第２扉９側をいう。第２扉９の戸先側とは、第２扉９のうちヒンジ３と反対側、つまり第１扉７側をいう。召合わせ箇所とは、両開き扉装置においては、一対の扉（本実施形態では、第１扉７及び第２扉９）が閉じられたときに互いに向き合う部分又は重なる部分をいう。
【００１７】
第２扉９のうち閉じた状態にあるときに召合わせ部１１と対向する部位には、被召合わせ部１３が設けられている。図５（ａ）に示すように、被召合わせ部１３も召合わせ部１１と同様に、第１扉７との召合わせ箇所に沿って延びる帯状に構成されている。
【００１８】
図４（ｂ）に示すように、被召合わせ部１３は、閉じた状態にあるときに、召合わせ部１１に対して室外側、つまり水圧が作用する側にずれた位置で召合わせ部１１と重なる。このため、被召合わせ部１３と第２扉本体９Ｂとを繋ぐ部位は、被召合わせ部１３の面１３Ａが第２扉本体９Ｂの板面９Ａに対して水圧が作用する側にずれた断付き状となっている。
【００１９】
召合わせ部１１と第１扉本体７Ｂとを繋ぐ部位は、図４（ａ）に示すように、召合わせ部１１の面１１Ａと第１扉本体７Ｂの板面７Ａとが面一となるように段差の無い平坦（フラット）な面となっている。
【００２０】
被召合わせ部１３には、図５（ａ）に示すように、被召合わせ部１３の延び方向（本実施形態では上下方向）に沿って延びる第１パッキン部１５Ａが設けられている。第１パッキン部１５Ａは、図４（ｂ）に示すように、閉じた状態にあるときに召合わせ部１１と液密に圧接する封止部材である。
【００２１】
第２扉本体９Ｂの上端側及び下端側には、図５（ａ）に示すように、第２パッキン部１５Ｂが設けられている。一対の第２パッキン部１５Ｂは、図４（ｂ）に示すように、閉じた状態にあるときに扉枠５と液密に圧接する封止部材である。
【００２２】
一対の第２パッキン部１５Ｂは、図５（ａ）に示すように、第１パッキン部１５Ａの延び方向両端（本実施形態では、上端及び下端）からヒンジ３側に水平に延びている。そして、第１パッキン部１５Ａと第２パッキン部１５Ｂは、継ぎ目の無い一体のパッキン材にて構成されている。
【００２３】
なお、「第１パッキン部１５Ａの延び方向両端からヒンジ３側に向かう向き」は、第１パッキン部１５Ａから離間する向き、つまり、第１扉７及び第２扉９が閉じた状態にあるときに、第１扉７側から第２扉９側に向かう向き（以下、離間方向という。）と一致する。
【００２４】
第２扉本体９Ｂのうちヒンジ３側端部には、第１パッキン部１５Ａと平行に延びる第４パッキン部１５Ｃが設けられている。第４パッキン部１５Ｃは、閉じた状態にあるときに扉枠５と液密に圧接する封止部材である。第４パッキン部１５Ｃ及び一対の第２パッキン部１５Ｂも継ぎ目の無い一体のパッキン材にて構成されている。
【００２５】
なお、本実施形態では、１本の帯状パッキン部材が第２扉９の外縁に沿って矩形枠状に配置されて、第１パッキン部１５Ａ〜第４パッキン部１５Ｃが構成されている。そして、「１本の帯状パッキン部材」の一端と他端との継ぎ目は、上端側の第２パッキン部１５Ｂの中間部に位置している。
【００２６】
つまり、本実施形態では、第２扉９の外縁に沿って第１パッキン部１５Ａ〜第４パッキン部１５Ｃが設けられ、かつ、少なくとも「矩形枠状の４つの角部」においては、継ぎ目の無い一体のパッキン材が設けられている。
【００２７】
第１扉本体７Ｂの上端側及び下端側には、図５（ｂ）に示すように、第３パッキン部１７Ａが設けられている。一対の第３パッキン部１７Ａは、召合わせ部１１からヒンジ３側に水平に延びている。
【００２８】
これら第３パッキン部１７Ａは、閉じた状態にあるときに扉枠５と液密に圧接する封止部材である。なお、「召合わせ部１１からヒンジ３側に向かう向き」は、離間方向と反対向きに一致する。
【００２９】
第１扉本体７Ｂのうちヒンジ３側端部には、第１パッキン部１５Ａと平行に延びる第５パッキン部１７Ｂが設けられている。第５パッキン部１７Ｂは、閉じた状態にあるときに扉枠５と液密に圧接する封止部材である。
【００３０】
第５パッキン部１７Ｂ及び一対の第３パッキン部１７Ａも継ぎ目の無い一体のパッキン材にて構成されている。つまり、本実施形態では、１本の帯状パッキン部材が第１扉の外縁に沿ってコの字状（Ｃの字状）に配置されて、第５パッキン部１７Ｂ及び一対の第３パッキン部１７Ａが構成されている。
【００３１】
一対の第２パッキン部１５Ｂのうち被召合わせ部１３に位置する部位には、図４（ａ）に示すように、第２扉本体９Ｂの板面９Ａに対して傾斜した傾斜部１５Ｄが設けられている。第３パッキン部１７Ａの延び方向端部のうち召合わせ部１１側の端部には、傾斜端面１７Ｃが設けられている。
【００３２】
傾斜端面１７Ｃは、傾斜部１５Ｄに沿うように傾斜した端面である。なお、板面９Ａに対する傾斜部１５Ｄの傾斜角度θ１、及び板面７Ａに対する傾斜端面１７Ｃの傾斜角度θ２は、３０±５度である。
【００３３】
このため、閉じた状態にあるときには、図４（ｂ）に示すように、第２パッキン部１５Ｂの傾斜部１５Ｄと第３パッキン部１７Ａの傾斜端面１７Ｃとが圧接する。これにより、傾斜部１５Ｄと傾斜端面１７Ｃとが液密に接触する。
【００３４】
そして、召合わせ部１１には、図４（ａ）に示すように、傾斜端面１７Ｃと連なるように傾斜するテーパ部１１Ｂが設けられている。テーパ部１１Ｂは、閉じた状態にあるときに傾斜部１５Ｄと圧接することにより、傾斜部１５Ｄと液密に接触する。
【００３５】
なお、第１パッキン部１５Ａ〜第５パッキン部１７Ｂはクロロプレンスポンジゴム等の弾性変形可能な弾性材により構成されている。そして、「圧接」とは、第１パッキン部１５Ａ〜第５パッキン部１７Ｂが圧縮変形した状態で接触するこという。
【００３６】
被召合わせ部１３と傾斜部１５Ｄとの間には支圧材１３Ｂが設けられている。支圧材１３Ｂは、傾斜部１５Ｄと平行な傾斜面１３Ｃを有して第２パッキン部１５Ｂを被召合わせ部１３側から支える。これにより、支圧材１３Ｂは、第２パッキン部１５Ｂ（傾斜部１５Ｄ）が被召合わせ部１３側に折れ曲がるように変形することを抑制する変形防止部材として機能する。
【００３７】
なお、本実施形態では、図５（ａ）及び図５（ｂ）に示すように、一対の第２パッキン部１５Ｂ及び第４パッキン部１５Ｃより内側、並びに一対の第３パッキン部１７Ａ及び第５パッキン部１７Ｂより内側にも支圧材９Ｃ、９Ｄ、７Ｃ、７Ｄが設けられている。
【００３８】
支圧材９Ｃ、９Ｄ、７Ｃ、７Ｄは、図３に示すように、第２扉本体９Ｂ及び第１扉本体７Ｂから突出した帯板又は突条である。そして、支圧材９Ｃ、９Ｄ、７Ｃ、７Ｄの突出寸法は、一対の第２パッキン部１５Ｂ、第４パッキン部１５Ｃ、一対の第３パッキン部１７Ａ及び第５パッキン部１７Ｂの厚み寸法より小さな寸法となっている。
【００３９】
３．本実施形態に係る扉装置の特徴
本実施形態では、第１パッキン部１５Ａ及び第２パッキン部１５Ｂは、継ぎ目の無い一体のパッキン材にて構成されていることを特徴としている。これにより、本実施形態では、召合わせ部の密閉性を高めることが可能な扉装置１を得ることができる。
【００４０】
本実施形態では、閉じた状態にあるときには、第２パッキン部１５Ｂの傾斜部１５Ｄと第３パッキン部１７Ａの傾斜端面１７Ｃとが圧接することを特徴としている。これにより、本実施形態では、閉じた状態にあるときに、第２パッキン部１５Ｂと第３パッキン部１７Ａとを大きな面積で圧接させることができる。
【００４１】
つまり、仮に、第３パッキン部１７Ａの端面を傾斜面とせず、その延び方向と直交する端面にて構成すると、傾斜端面１７Ｃに比べて第２パッキン部１５Ｂとの接触面積が小さくなる。
【００４２】
したがって、第２パッキン部１５Ｂ及び第３パッキン部１７Ａのうち互いに接触する部位を傾斜面とすれば、第２パッキン部１５Ｂと第３パッキン部１７Ａとの接触面における液密性を高めることができる。
【００４３】
なお、本実施形態では、第１パッキン部１５Ａ〜第４パッキン部１５Ｃを構成する「１本の帯状パッキン部材」の一端と他端との継ぎ目も「第２パッキン部１５Ｂと第３パッキン部１７Ａとの接触箇所」と同様な構造となっている。
【００４４】
本実施形態では、召合わせ部１１には、傾斜端面１７Ｃと連なるように傾斜するとともに、閉じた状態にあるときに傾斜部１５Ｄと圧接するテーパ部１１Ｂが設けられていることを特徴としている。
【００４５】
これにより、本実施形態では、召合わせ部１１と第２パッキン部１５Ｂとの接触箇所において隙間が発生することを抑制できる。したがって、召合わせ部１１と第２パッキン部１５Ｂとの接触箇所の液密性を高めることができる。
【００４６】
本実施形態では、被召合わせ部１３と傾斜部１５Ｄとの間に支圧材１３Ｂが設けられていることを特徴としている。これにより、第２パッキン部１５Ｂが召合わせ部１１側に凹むように折れ曲がることを抑制できる。
【００４７】
したがって、第２パッキン部１５Ｂと第３パッキン部１７Ａとの接触箇所に隙間が発生することを抑制できる。延いては、第２パッキン部１５Ｂと第３パッキン部１７Ａとの接触箇所の液密性を高めることができる。
【００４８】
本実施形態では、支圧材９Ｃ、９Ｄ、７Ｃ、７Ｄが設けられ、かつ、それらの突出寸法が、一対の第２パッキン部１５Ｂ、第４パッキン部１５Ｃ、一対の第３パッキン部１７Ａ及び第５パッキン部１７Ｂの厚み寸法より小さな寸法となっていることを特徴としている。
【００４９】
これにより、扉装置１が閉じた状態にあるときに、一対の第２パッキン部１５Ｂ、第４パッキン部１５Ｃ、一対の第３パッキン部１７Ａ及び第５パッキン部１７Ｂが過度に圧縮されてしまうことを抑止できる。したがって、それらパッキンの封止能力が低下してしまうことを抑制できる。
【００５０】
（第２実施形態）
第１実施形態に係る扉装置１は、第１扉７及び第２扉９が扉枠５に揺動可能に組み付けられた扉装置に本発明を適応したものであった。
【００５１】
これに対して、本実施形態は、図６に示すように、扉枠５に対して第１扉７が変位可能に組み付けられ、かつ、第２扉９（以下、フラップ９ともいう。）が第１扉７に対して変位可能に組み付けられた扉装置１に本発明を適用したものである。
【００５２】
１．扉装置の概要
本実施形態に係る第１扉７も第１実施形態と同様に扉枠５に揺動可能に組み付けられて水平方向に揺動（スイング）可能である。フラップ９（第２扉９）は、第１扉７に対して閉じた状態（図７参照）と開いた状態（図６参照）との間で変位する。
【００５３】
本実施形態に係るフラップ９は、図８に示すように、少なくとも１つの蝶番（ヒンジ）９Ｅを介して第１扉７の下端側に揺動可能に組み付けられている。第１扉７には、フラップ９を変位させるアクチュエータ１９が少なくとも１つ（本実施形態では２つ）設けられている。
【００５４】
なお、本実施形態に係る一対のアクチュエータ１９は、手動型のネジ式ジャッキと同様な機構である。すなわち、各アクチュエータ１９に設けられた入力軸１９Ａとギアボック１９Ｂの出力軸１９Ｃとは、可撓自在な撓み軸１９Ｄにて連結されている。
【００５５】
ギアボック１９Ｂには、回転力を入力するための入力軸１９Ｅが設けられている。入力軸１９Ｅは、作業者が回転力を入力する際に用いるハンドル（図示せず。）が装着可能である。各アクチュエータ１９のネジ棒１９Ｆは、リンク機構１９Ｇを介してフラップ９に連結されている。
【００５６】
そして、作業者が入力軸１９Ｅにハンドルを装着した状態で当該ハンドルを回転させると、各アクチュエータ１９のネジ棒１９Ｆが移動するため、これに連動してフラップ９が第１扉７に対して変位する。
【００５７】
本実施形態では、図７に示すように、扉枠５のうちフラップ９（第２扉９）と接触する部分（本実施形態では、下端側枠部５Ｂ）が床に埋設されている。つまり、フラップ９と扉枠５（下端側枠部５Ｂ）との接触箇所は床面より下側に位置する。
【００５８】
２．防水構造（図９〜図１１参照）
本実施形態に係る防水構造も第１実施形態に係る防止構造と同じである。但し、本実施形態に係る召合わせ部１１の定義は、以下の通りである。
【００５９】
すなわち、召合わせ部１１は、第１扉７のうち第１扉７及びフラップ（第２扉）９が閉じた状態にあるときに、フラップ９の一部を扉枠５側（本実施形態では、室内側）から覆うように重なる部分である。
【００６０】
このため、本実施形態に係る召合わせ部１１は、第１扉７の下端側において水平方向に延びる帯状の部位となる。本実施形態に係る被召合わせ部１３は、閉じた状態にあるフラップ９の上端側において、召合わせ部１１と対向する水平方向に延びる帯状の部位となる。
【００６１】
なお、図６等に示す扉装置１は、フラップ（第２扉）９が第１扉７の下端側に設けられていたが、本実施形態はこれに限定されるものではない。すなわち、例えば、フラップ９が第１扉７の戸先側に設けられた扉装置、又はフラップ９が第１扉７の上端側に設けられた扉装置等にも適用可能である。
【００６２】
（その他の実施形態）
上述の実施形態では、第１パッキン部１５Ａ〜第４パッキン部１５Ｃを「１本の帯状パッキン部材」を継ぎ合わせて構成したが、本発明これに限定されるものではなく、例えば、平板状のパッキン材を打ち抜いて成形することにより、第１パッキン部１５Ａ〜第４パッキン部１５Ｃを継ぎ目の無い一体状の矩形枠状（閉曲線状）のパッキンとしてもよい。
【００６３】
上述の実施形態では、被召合わせ部１３は第２扉本体９Ｂから突出した帯板状であったが、本発明はこれに限定されるものではなく、例えば、第２扉本体９Ｂの戸先側を断付き状として帯状の被召合わせ部１３を構成してもよい。
【００６４】
また、本発明は、特許請求の範囲に記載された発明の趣旨に合致するものであればよく、上述の実施形態に限定されるものではない。
【符号の説明】
【００６５】
１… 両開き扉装置  １Ａ… 開口部  ３… ヒンジ  ５… 扉枠
７… 第１扉  ７Ｂ… 第１扉本体  ７Ａ… 板面  ９… 第２扉
９Ｂ… 第２扉本体  ９Ａ… 板面  ９Ｃ… 支圧材  １１… 召合わせ部
１１Ｂ… テーパ部  １３… 被召合わせ部  １３Ｂ… 支圧材
１３Ｃ… 傾斜面  １５Ａ… 第１パッキン部  １５Ｂ… 第２パッキン部
１５Ｃ… 第４パッキン部  １５Ｄ… 傾斜部  １７Ａ… 第３パッキン部
１７Ｂ… 第５パッキン部  １７Ｃ… 傾斜端面
【図１】
0006513983.tif 000002
【図２】
0006513983.tif 000003
【図３】
0006513983.tif 000004
【図４】
0006513983.tif 000005
【図５】
0006513983.tif 000006
【図６】
0006513983.tif 000007
【図７】
0006513983.tif 000008
【図８】
0006513983.tif 000009
【図９】
0006513983.tif 000010
【図１０】
0006513983.tif 000011
【図１１】
0006513983.tif 000012